(57)【要約】【課題】カードアダプタ装置を提供する。【解決手段】主にデータアクセス可能なアダプタカードで、該カード構造上にはメモリモジュールを設置する他、直接メモリアクセス可能なコントローラーを増設し、MS Pro Duoの外型を具え、アダプタチップを具えたアダプタ装置と符合するMSPro Duo電器構造で、或いはMMC/SDシリーズの外型サイズを具えたアダプタ装置で、MMC/SDシリーズインターフェース連結に適用することができる。これによりアダプタカードは各種インターフェース、サイズの異なるアダプタ装置を通して、異なる様式のメモリカードを形成し、MS Pro Duo及びMMC/SD等異なるシリーズのインターフェースに適用することができる。【選択図】  図２
2007293670.tif 000002
【特許請求の範囲】
【請求項１】
主にデータアクセス可能なメモリカードで、アダプタカード、アダプタ装置を含み、
該アダプタカードはデータにアクセス可能なメモリモジュールで、若干の受動パーツ、リードオンリーメモリ(ROM) 、ランダムアクセスメモリ(RAM)、コントローラー及びプロセッサーにより組成し、コネクタインターフェースと回路連結を形成し、
該アダプタ装置は該アダプタカードを収容可能で、該アダプタカードと連接し、一端には外部設備と電気的に連接するコネクタインターフェースを設置することを特徴とするカードアダプタ装置。
【請求項２】
前記アダプタ装置のコネクタインターフェース及び外型サイズはMS Pro duo規格で、該アダプタ装置内にはアダプタチップを内蔵し、これにより該アダプタカードを該アダプタ装置に挿入後、MS Pro Duo電器構造に符合することを特徴とする請求項１記載のカードアダプタ装置。
【請求項３】
前記アダプタ装置のコネクタインターフェース及び外型サイズはMini SD規格で、これにより該アダプタカードを該アダプタ装置に挿入後、Mini SD電器構造に符合することを特徴とする請求項１記載のカードアダプタ装置。
【請求項４】
前記アダプタ装置のコネクタインターフェース及び外型サイズはSD/MMC規格で、これにより該アダプタカードを該アダプタ装置に挿入後、SD/MMC電器構造に符合することを特徴とする請求項１記載のカードアダプタ装置。
【請求項５】
前記アダプタ装置のコネクタインターフェース及び外型サイズはMS規格で、該アダプタ装置内にはアダプタチップを内蔵し、これにより該アダプタカードを該アダプタ装置に挿入後、MS電器構造に符合することを特徴とする請求項１記載のカードアダプタ装置。
【請求項６】
主にデータアクセス可能なメモリカードで、アダプタカード、アダプタ装置を含み、
該アダプタカードはデータにアクセス可能なメモリモジュールで、若干の受動パーツ、アダプタチップ、リードオンリーメモリ(ROM) 、ランダムアクセスメモリ(RAM)、コントローラー及びプロセッサーにより組成し、該コネクタインターフェースと回路連結を形成し、
該アダプタ装置は該アダプタカードを収容可能で、該アダプタカードと連接し、一端には外部設備と電気的に連接するコネクタインターフェースを設置し、これによりMS Pro duo及びSD/MMCインターフェース規格に適用することを特徴とするカードアダプタ装置。
【請求項７】
前記MS Pro Duoインターフェース或いはSD/MMCインターフェースのシステム切り換え識別はソフトウエアプログラムが設計する探知装置が行うことを特徴とする請求項６記載のカードアダプタ装置。
【発明の詳細な説明】
【技術分野】
【０００１】
本発明は一種のカードアダプタ装置に関する。特に一種のデータアクセスに用いるメモリカードに係る。
【背景技術】
【０００２】
モバイルオフィスやデジタル画像処理の普及に加え、民生用電子製品の応用範囲も広がっており、新ストレージメディアNAND Flashに対する電子産業全体の需要量も爆発的に成長している。コンパクトかつ軽量で携帯に便利なデジタルカメラ、MP3、PDA、携帯電話端末などは消費者にとっては既に必需品で、これら製品は一般市民或いはビジネスマンに高い利便性と実際の利益をもたらしている。このため、多くの業者がフラッシュメモリが内包するビジネスチャンスに期待を寄せている。
【０００３】
各種デジタル製品のメモリカード拡充容量に対するニーズが高まっているため、メモリカード関連領域では莫大な利益が見込まれ、各家電メーカーなどがそれぞれ規格を制定し主導権を握ろうとしており、現在メモリカード規格は春秋戦国時代にある。各陣営が林立し、現時点で既に市場に流通している或いは発表されているメモリカードはCompact Flash Card（CFカード）、xD Picture Card（xDカード）、Secured Digital
Card（SDカード）、 Multi Media Card（MMC）、Reduced MMカード、Smart Media（登録商標）（SM）、 Memory
Stick（包括衍生のMagic Gate、Memory Stick Pro、Memory Stick Duo）、SanDiskが最近発表したMiniSDカード、Trans
Flashカード（TFカード）など10種以上ある。
【０００４】
このため、一体どの種のメモリカードを選ぶべきかという面倒な問題を引起しており、消費者はこれらデジタル製品を購入する前には慎重に考慮する必要がある。すべてのメモリカードの規格、サイズは異なるため、各メモリカードは対応するコネクタにのみ対応し、互換使用の可能性は低い。よって消費者はメモリカードの購入後に、規格が不適応のため使用できないという状況がしばしば発生する。
【０００５】
メモリカードのコスト構造中では、単一メモリ(MEMORY)がメモリカードコスト全体の約90~98％（容量により多少異なる）を占め、プラスチックケース及び導電金属などのその他パーツは2%~10%を占めるだけである。しかも現在市販されている各種規格のメモリカードはすべてメモリ(MEMORY)を採用するため、各機種間の差異はサイズ及び規格だけで、消費者はメモリカード全体のわずかに2%~10%を占める差異のために、別に新たなカードを購入しなければならないという事態を招いている。メモリカードの価格はその容量及び規格に従い異なるが、もし消費者が多種の異なる規格のデジタル機種を持つなら、多種の規格サイズのメモリカードを購入しなければならない。これでは使用において不便であるばかりか、消費者の購買意欲を低下させ、既存のメモリカードが使用されなくなるという可能性を増大させる。
【０００６】
もしメモリカード構造上にアダプタ装置及びデータアクセス装置（メモリモジュール）を区別し、プロセッサー及びアダプタチップの設置を組合せるなら、単一のデータアクセス装置を利用し、アダプタ装置の交換を通して、メモリカードが通用性の効果を達成することができる。さらにこれによって消費者の購入コストを低下させ、メモリカードの使用率を向上させ、規格不適応或いは容量不足による資源浪費の問題を減少させることができる。
【発明の開示】
【発明が解決しようとする課題】
【０００７】
本発明は上記構造の問題点を解決したカードアダプタ装置を提供するものである。
【課題を解決するための手段】
【０００８】
上記課題を解決するため、本発明は下記のカードアダプタ装置を提供する。
それは主にメモリカードの通用性を向上させ、各種異なる様式のデジタル機種に適用可能とし、
さらに本発明は多種の異なる規格、サイズを具えたアダプタ装置により、データアクセス機能を持つアダプタカードは異なる様式、規格のメモリカードに組合わせられ、
すなわち本発明のカードアダプタ装置はメモリカード構造上においてアダプタ装置及びアダプタカードの区別を行い、アダプタカードにデータアクセス機能を持たせ、アダプタ装置はシステム切り換え機能及び各種メモリカードの規格サイズ、外型に符合した設計を具え、直接メモリにアクセス可能な技術
(Direct Memory Access、DMAと略称)を持つコントローラーの設置により、MS Pro Duo電器構造に符合し、或いはMMC/SDシリーズインターフェース連結に適用可能なメモリカードを形成し、これによりアダプタ装置及びアダプタカードが組成するメモリカードは異なる様式のデジタル機種に適用可能な構造を形成することを特徴とするカードアダプタ装置である。
【発明の効果】
【０００９】
上記のように、本発明カードアダプタ装置は、現行のカードの種類が極めて多いために起きている種々の問題を確実に解決可能で、単一のアダプタカードを利用し、各種インターフェースを通して、サイズの異なるアダプタ装置により異なる様式のメモリカードを形成し、対応するデジタル機種に適用することができる。
【発明を実施するための最良の形態】
【００１０】
図1に示すように本発明にいうメモリカードはアダプタカード1で、データにアクセス可能なメモリモジュールである。該アダプタカード1は若干の受動パーツ、リードオンリーメモリ(ROM)
11、ランダムアクセスメモリ(RAM)12、コントローラー13及びプロセッサー14により組成し、コネクタインターフェース15と回路連結を形成する。該コントローラー13中のDMA
(Direct Memory Access)により直接メモリにアクセスする技術で、装置は直接メモリに読み書き可能で、プロセッサー (PROCESSOR)を経由する必要がないため、プロセッサーの負担を減少させデータの伝送速度を向上させることができる。
【００１１】
次に図2に示すように、MS Pro Duoアダプタ装置2はMS Pro Duoインターフェース21とMS Pro Duoメモリカード規格サイズの外型を具え、アダプタチップ22を内蔵し、該アダプタカード1を収容し、連結を形成することができる。
【００１２】
さらに図3に示すように、MMC/SDアダプタ装置3はSD/MMCシリーズインターフェース31とMMC/SDメモリカード規格サイズの外型を具え、該アダプタカード1を収容し、連結を形成することができる。
【００１３】
本発明の最大の特徴は日本の家電大手、SONYのMemory Stickシリーズインターフェース規格とPanasonic/ToshibaのSD/MMCシリーズインターフェースカード等2種の規格が完全に異なるメモリカードを統合することで、これにより本発明のメモリカードはこの2種のインターフェースに適用することができる。
【００１４】
本発明は公知のメモリカード構造を主にアダプタカード1とアダプタ装置に区分し、データアクセス可能な該アダプタカード1を利用し、該アダプタカード1を収容可能なMS Pro Duoアダプタ装置2或いはMini
SDアダプタ装置3によりメモリカードを形成する。よって該アダプタカード1及び該アダプタ装置2はどの種のメモリカードを組合わせるかによって、アダプタ装置の規格、サイズが異なる。
【００１５】
もしMS Pro
Duoメモリカード規格を組合わせるなら、MS Pro Duo規格、サイズ及び外型を具えるMS Pro Duoアダプタ装置2とアダプタカード1を選択し、コネクタインターフェース15により電気的に連接する（図2参照）。さらに該アダプタカード1内の直接メモリにアクセス可能な技術
(Direct Memory Access、DMAと略称)を持つコントローラー13の設置とMS Pro Duoアダプタ装置2に内蔵のアダプタチップ22により、MS Pro Duo電器構造に符合させる。
【００１６】
もしSD/MMCシリーズインターフェースを具えた設備を使用したいなら、該アダプタカード1とSD/MMCシリーズインターフェースを具えたSD/MMCアダプタ装置3を相互に組合せれば良い（図3参照）。さらにはMiniSD、Memory
Stick等規格サイズのメモリカードを組合せることもできる。
【００１７】
メモリカード中のメモリ (MEMORY)のコストはメモリカード全体のコストの90%以上を占めるが、この方式を利用すれば高コストのアダプタカード1と低コストのアダプタ装置を分離させることができる。さらに、アダプタ装置の交換を通して、必要とするメモリカード規格に変化させ、多種の異なる規格のデジタル機種に適用可能で、すなわちアダプタ装置の規格を変えるだけで、アダプタカード1と組合せることができ、多種規格サイズのメモリカードを形成することができる。
【００１８】
もしメモリ不足或いは容量がニーズに合わない時には、記憶容量がより大きいアダプタカード1に交換するだけで、既存の各種サイズ、規格、外型のアダプタ装置と相互に結合し、容量単位が大きいメモリカードを形成可能である。これにより本発明が組成するメモリカードは通用性の効果を達成することができ、さらには消費者の購入コストを低下させることができる。またメモリカードの使用率を向上させ、規格不適応或いは容量不足による資源浪費の問題を減少させることができる。
【００１９】
次に図4に示すように本発明別種の最適実施例のアダプタチップ22は直接アダプタカード1内に内蔵し、デジタル機種に設置するソフトウエアプログラム探知装置16の識別を利用し、MS
Pro Duoインターフェース21或いはSD/MMCインターフェース31を挿入する時、該アダプタカード1は該探知装置16の感知識別により自動的にシステムを切り換える。ソフトウエアプログラムはプログラム設計者が一度設計し消費者に提供すれば、インターネット或いは他のルートを通して無料かつ無制限に自由にダウンロードし使用することができるため、公知の技術のように電子パーツ/チップをメモリカード上にのみ設置するものとは異なり、該メモリカードの製造コストを大幅に低下させることができる。
【図面の簡単な説明】
【００２０】
【図１】本発明アダプタカードのブロックチャートである。
【図２】本発明アダプタカードとMS Pro Duoアダプタ装置連結のブロックチャートである。
【図３】本発明アダプタカードとMiniSDアダプタ装置連結のブロックチャートである。
【図４】本発明別種の最適実施例のブロックチャートである。
【符号の説明】
【００２１】
1  アダプタカード
11  リードオンリーメモリ(ROM) 
12  ランダムアクセスメモリ(RAM)
13  コントローラー
14  プロセッサー
15  コネクタインターフェース
16  探知装置
2  MS Pro Duoアダプタ装置     
21  MS Pro
Duoインターフェース
22  アダプタチップ
3  SD/MMCアダプタ装置
31  SD/MMCインターフェース
【図１】
2007293670.tif 000003
【図２】
2007293670.tif 000004
【図３】
2007293670.tif 000005
【図４】
2007293670.tif 000006